(57)【要約】【課題】照明器具において、医療処置が行われる現場の周囲を照明することができ、且つ既存の医療設備に取り付けることができるようにする。【解決手段】照明器具１は、長箱形状の筐体１１の上面に配され、筐体１１の上面に取り付けられる長尺状の器具本体２と、器具本体２上に設けられる光源ユニット３と、筐体１１に対して器具本体２を着脱可能に固定する固定部４と、を備える。光源ユニット３は、光を出射する発光部３１と、発光部３１を覆い発光部３１からの光を出射するカバー３２と、を有する。固定部４は、カバー３２の光出射面が筐体１１の外側の位置となるように器具本体２を固定する。この構成によれば、光を出射する光源ユニット３のカバー３２が、筐体１１の外側の位置となるので、医療処置が行われる現場の周囲を照明することができる。また、照明器具１は、固定部４により筐体１１に着脱できるので、既存の医療設備に取り付けることができる。【選択図】図３
2015090780.tif 000002
【特許請求の範囲】
【請求項１】
長箱形状の架設構造体の上面に配される照明器具であって、
前記架設構造体の上面に取り付けられる長尺状の器具本体と、前記器具本体上に設けられる光源ユニットと、前記架設構造体に対して前記器具本体を着脱可能に固定する固定部と、を備え、
前記光源ユニットは、光を出射する発光部と、前記発光部を覆い該発光部からの光を出射するカバーと、を有し、
固定部は、前記カバーの光出射面が前記架設構造体の外側の位置となるように前記器具本体を固定することを特徴とする照明器具。
【請求項２】
前記光源ユニットは、前記器具本体の長手方向に沿って設けられる複数のライン状光源を有することを特徴とする請求項１に記載の照明器具。
【請求項３】
前記光源ライン状光源は、相関色温度が３２５０Ｋ以下である低色温度光を出射する低色温度光源と、相関色温度が４６００Ｋ以上である高色温度光を出射する高色温度光源と、を含むことを特徴とする請求項２に記載の照明器具。
【請求項４】
前記高色温度光源が前記器具本体の外縁側に、前記低色温度光源が内方側に配されていることを特徴とする請求項３に記載の照明器具。
【請求項５】
前記複数のライン状光源を一括して覆う外部カバーを更に備え、
前記外部カバーは、光出射方向に凸となる樋形状であることを特徴とする請求項２乃至請求４のいずれか一項に記載の照明器具。
【請求項６】
前記固定部は、前記器具本体の長手方向の一方の縁部に設けられた蝶番を有することを特徴とする請求項１乃至請求項５のいずれか一項に記載の照明器具。
【請求項７】
前記光源ユニットの発光部を点灯させるための電源ユニットを更に備え、
前記器具本体は、前記電源ユニットを前記架設構造体の内側の位置で保持することを特徴とする請求項１乃至請求項６のいずれか一項に照明器具。
【請求項８】
前記架設構造体は、該架設構造体を施工面に固定するための複数の支柱を有し、
前記器具本体の長手方向の長さは、前記複数の支柱の間隔よりも短いことを特徴とする請求項１乃至請求項７のいずれか一項に照明器具。
【請求項９】
前記発光部は、固体発光素子を光源とすることを特徴とする請求項１乃至請求項８のいずれか一項に照明器具。
【発明の詳細な説明】
【技術分野】
【０００１】
本発明は、医療施設の集中治療室（ＩＣＵ：Intensive Care Unit）等で用いられる医療用供給システムに適用される照明器具に関する。
【背景技術】
【０００２】
従来から、医療施設の集中治療室（ＩＣＵ：Intensive Care Unit）等では、患者に対する酸素等の医療ガスや、医療器具や検査装置等への電源を供給する医療用システムが用いられている。この種のものとして、医療用ガス供給弁や電源コンセントをシステマチックに壁面や天井に組み込んだ医療用システムが知られている（例えば、特許文献１参照）。
【０００３】
このような医療用システムは、ベッドや各種医療器具、検査装置等が頻繁に搬送されるＩＣＵにおいて、医療ガスの供給用配管や電源コードを吊り下げることにより、それらが床面に散在してベッド等の搬送の邪魔になることを抑制している。特に、天井から架設される懸架式の医療用供給システムは、その直下位置に患者を乗せたベッドを配置することにより、医療処置の現場の近くに医療用ガス供給弁や電源コンセントを置くことができる。
【０００４】
ところで、ＩＣＵ内は、一般的には、天井に設置されたベースライト等により照明がなされる。このようなベースライトは、ベッドに仰向けに載せられた患者が眩しくないように、光拡散カバー等が設けられている。
【先行技術文献】
【特許文献】
【０００５】
【特許文献１】特開平１０−１９２２４５号公報
【発明の概要】
【発明が解決しようとする課題】
【０００６】
しかしながら、ベースライトのような直接照明では、例えば、ＩＣＵにおける治療期間が長くなると、患者に不快感を与えることがある。ところが、壁面取付型の間接照明では、例えば、医療処置が行われるベッドがＩＣＵの中央寄りの位置にある場合、ベッド周囲を明るくすることができない。また、上述したように、ＩＣＵの壁面や天井には、医療用ガス供給弁等が組み込まれているので、間接照明器具を固定する場所が制限されることもある。
【０００７】
本発明は、上記課題を解決するものであり、医療処置が行われる現場の周囲を、患者に不快感を与えることなく照明することができ、且つ既存の医療設備に取り付けることができる照明器具を提供することを目的とする。
【課題を解決するための手段】
【０００８】
上記課題を解決するため、本発明は、長箱形状の架設構造体の上面に配される照明器具であって、前記架設構造体の上面に取り付けられる長尺状の器具本体と、前記器具本体上に設けられる光源ユニットと、前記架設構造体に対して前記器具本体を着脱可能に固定する固定部と、を備え、前記光源ユニットは、光を出射する発光部と、前記発光部を覆い該発光部からの光を出射するカバーと、を有し、固定部は、前記カバーの光出射面が前記架設構造体の外側の位置となるように前記器具本体を固定することを特徴とする。
【０００９】
上記照明器具において、前記光源ユニットは、前記器具本体の長手方向に沿って設けられる複数のライン状光源を有することが好ましい。
【００１０】
上記照明器具において、前記ライン状光源は、相関色温度が３２５０Ｋ以下である低色温度光を出射する低色温度光源と、相関色温度が４６００Ｋ以上である高色温度光を出射する高色温度光源と、を含むことが好ましい。
【００１１】
前記高色温度光源が前記器具本体の外縁側に、前記低色温度光源が内方側に配されていることが好ましい。
【００１２】
上記照明器具において、前記複数のライン状光源を一括して覆う外部カバーを更に備え、前記外部カバーは、光出射方向に凸となる樋形状であることが好ましい。
【００１３】
上記照明器具において、前記固定部は、前記器具本体の長手方向の一方の縁部に設けられた蝶番を有することが好ましい。
【００１４】
上記照明器具において、前記光源ユニットの発光部を点灯させるための電源ユニットを更に備え、前記器具本体は、前記電源ユニットを前記架設構造体の内側の位置で保持することが好ましい。
【００１５】
上記照明器具において、前記架設構造体は、該架設構造体を施工面に固定するための複数の支柱を有し、前記器具本体の長手方向の長さは、前記複数の支柱の間隔よりも短いことが好ましい。
【００１６】
上記照明器具において、前記発光部は、固体発光素子を光源とすることが好ましい。
【発明の効果】
【００１７】
本発明によれば、光を出射する光源ユニットのカバーが、架設構造体の外側の位置となるので、照明器具の長手方向に垂直な面における配光を広くすることができ、架設構造体の上方（例えば、天井）を広く照明することができる。従って、医療処置が行われる現場の周囲を、患者に不快感を与えることなく照明することができる。また、照明器具は、固定部により筐体に着脱できるので、既存の医療設備に取り付けることができる。
【図面の簡単な説明】
【００１８】
【図１】本発明の一実施形態に係る照明器具を取り付けた医療用供給システムの構成を示す一点投影図。
【図２】上記照明器具の外観の一部を示す一点投影図。
【図３】同照明器具を取り付けた医療用供給システムの長手方向に直交する側断面構成図。
【図４】（ａ）は上記照明器具の上面図、（ｂ）は短手方向から視た側面図、（ｃ）は、長手方向から視た側面図。
【図５】上記照明器具の光源から出射される光の分光スペクトルを示す図。
【図６】（ａ）（ｂ）は上記実施形態の変形例に係る照明器具を取り付けた医療用供給システムの側断面図。
【発明を実施するための形態】
【００１９】
本発明の一実施形態に係る照明器具について、図１乃至図５を参照して説明する。図１に示すように、照明器具１は、天井懸架式の医療用供給システム１０の筐体１１の上面に配される。筐体１１は、長箱形状の架設構造体であり、天井に架設された２本の支柱１２により天井（施工面）に固定される。
【００２０】
筐体１１の上面には、配管等をメンテナンスするための開口１１ａ（後述する図３参照）が設けられており、照明器具１は、この開口に適合するように設計されている。筐体１１の下面には、筐体１１の長手方向に伸びたレール（不図示）を介して、医療用ガス用接続端子１３ａや電源コンセント１３ｂが組み込まれたアクセサリーユニット１３が、上記レール方向に沿って移動可能に吊り下げられる。筐体１１内には、酸素等の医療ガスを供給するためのガス管や、医療器具や検査装置等へ電源を供給するための配線、アクセサリーユニット１３を移動させるための駆動機構（不図示）等が収納される。
【００２１】
図２に示すように、照明器具１は、医療用供給システム１０の筐体１１の上面に取り付けられる長尺状の器具本体２と、器具本体２上に設けられる光源ユニット３と、筐体１１に対して器具本体２を着脱可能に固定する固定部４と、を備える。
【００２２】
器具本体２は、光源ユニット３が配置される底面２１と、底面２１上に設けられた上面樋形状の枠体２２と、光源ユニット３から出射した光を枠体２２外へ放射する開口２３と、を有する。開口２３には、透明な外部カバー２４が設けられる。この外部カバー２４により、光源ユニット３への埃等が侵入することを防止することができる。
【００２３】
固定部４は、底面２１の下面から器具本体２の長手方向の両縁から外方へ延設された鍔部４１と、この鍔部４１に形成されたネジ孔４２と、ネジ孔４２に挿通されて筐体１１の上面と鍔部４１とを固定するネジ４３と、を有する。器具本体２の底面２１と鍔部４１は同平面に存在する。
【００２４】
図３に示すように、鍔部４１は、筐体１１の上面に形成された開口１１ａよりも大きく、枠体２２の上面における開口１１ａの周縁と重なり合うように形成されている。ネジ孔４２は、鍔部４１の最隅に形成されており、また、開口１１ａ周縁にネジ孔４２に対応するようにネジ受け部４４が設けられる。ネジ受け部４４は、筐体１１にネジ孔を形成すれば、既存の筐体１１に取り付けることができる。
【００２５】
鍔部４１は、器具本体２と別体であってもよいし、一体的に形成されていてもよい。鍔部４１が器具本体２と別体である場合、大きさが異なる複数種の鍔部４１を用いることにより、固定対象の医療用供給システム１０の開口１１ａの大きさが異なっていても、開口１１ａの大きさに対応して、適宜に照明器具１を取り付けることができる。また、鍔部４１が器具本体２と一体的に形成されている場合、鍔部４１よりも大きなアダプター板（不図示）を用いることで、上記と同様に、適宜に照明器具１を取り付けることができる。
【００２６】
図４（ａ）乃至（ｃ）に示すように、光源ユニット３は、器具本体２の長手方向に沿って設けられる複数のライン状光源３０を有する。本実施形態では、図示したように、３列のライン状光源が用いられる。光源ユニット３は、光を出射する発光部３１と、発光部３１を覆い発光部３１からの光を出射するカバー３２と、を有する。
【００２７】
発光部３１は、列状に配された複数のＬＥＤを有する（特に、図４（ｃ）参照）。発光部３１を成すＬＥＤは、ＬＥＤチップの出射光の波長を変換する波長変換部材が被覆されて、ＬＥＤパッケージとして構成される。なお、発光部３１は、ＬＥＤに限らず、照明器具１として所望の光色の発光を可能とする光源であれば特に限定されない。カバー３２は、列状に配された複数のＬＥＤを一括して覆う樋形状のカバーであり、適宜に顔料等が添加された透光性樹脂等から形成される。カバー３２を設けることにより、個々のＬＥＤからの光が拡散され、ＬＥＤ特有の粒々感を与え難いライン列光源を得ることができる。また、カバー３２が樋形状なので、照明器具１の長手方向に垂直な面における配光を広くすることができる。
【００２８】
カバー３２は、器具本体２の底面２１上に配されている。底面２１は、鍔部４１（固定部４）を介して筐体１１の上面に固定されているので、筐体１１の上面と実質同平面に位置する。また、カバー３２は樋形状なので、カバー３２の光出射面が、筐体１１（架設構造体）の外側の位置となる。従って、光源ユニット３は、一列でも照明器具１の長手方向に垂直な面における配光を広くすることができ、これを複数列配したことにより、医療用供給システム１０の上方の天井を広く照明することができる。従って、照明器具１は、医療処置が行われる現場の周囲を、間接照明により患者に不快感を与えることなく照明することができる。また、照明器具１は、固定部４（鍔部４１及びネジ４３等）により筐体１１に着脱できるので、既存の医療設備に取り付けることができる。
【００２９】
また、枠体２２の上面及び外部カバー２４は、樋形状なので、中央寄りの位置よりも側面側の高さが低く、側面視において高さを感じ難い。なお、器具本体２や外部カバー２４の寸法は、医療用供給システム１０の筐体１１の形状や大きさにも依存するが、枠体２２の側部の高さは２０ｍｍ以内、外部カバー２４の最大高さは３０ｍｍ以内であることが望ましい。こうすれば、医療用供給システム１０の外観を視たとき、筐体１１の上面に設けられた照明器具１が殆ど目立たず、全体の見栄えを良くすることができる（図１参照）。
【００３０】
照明器具１は、光源ユニット３の発光部３１を点灯させるための電源ユニット５を更に備える。また、器具本体２の底面２１の、光源ユニット３が設けられる面とは反対側の面に電源ユニット５は取り付けされる。底面２１は、上述したように、筐体１１の上面と実質同平面に位置するので、電源ユニット５は、筐体１１の内側の位置で保持される。この構成によれば、電源ユニット５を筐体１１内に収容できるので、医療用供給システム１０の外観に電源ユニット５が露出せず、見栄えを良くすることができる。なお、電源ユニット５は、底面２１の片縁に設けられることが好ましい。筐体１１内には、医療用ガスの配管といった比較的容積の大きな機器は、筐体１１内の片側に収納されることが多い。そこで、電源ユニット５を底面２１の片縁に設けることにより、容積の大きな機器が設けられていない片側の空間に電源ユニット５を収容することができる。なお、電源ユニット５に電源を供給する電源端子台５１は、電源ユニット５と同様に、光源ユニット３が設けられる面とは反対側の面に設けられる。
【００３１】
なお、器具本体２の長手方向の長さは、支柱１２（図１参照）の間隔よりも短い。こうすれば、照明器具１を、一対の支柱１２の間に配置することできる。また、ＩＣＵにおいて、通常、ベッドは、医療用供給システム１０（照明器具１）の長手方向と直交する方向に置かれる。そのため、医療処置がなされる現場では、ベッドの長さ方向には、ある程度広い範囲をカバーできるように照明されることが望ましいが、ベッドの幅方向には、一定程度の範囲をカバーできれば十分である。そこで、上記配置によれば、支柱１２が照明器具１の長手方向に放射される光を遮り、照明器具１の長手方向、すなわちベッドの幅方向へ光が照射されることを抑制することができる。
【００３２】
上述した光源ユニット３（複数のライン状光源３０）は、相関色温度が３２５０Ｋ以下である低色温度光を出射する低色温度光源３Ｌと、相関色温度が４６００Ｋ以上である高色温度光を出射する高色温度光源３Ｈと、を含むように構成されることが好ましい。ここに示す３列のライン状光源３０を用いた形態においては、高色温度光源３Ｈが器具本体２の外縁側に２列、低色温度光源３Ｌが内方側に１列配置されている。また、これら低色温度光源３Ｌ及び高色温度光源３Ｈは、個別に点灯させることができる。
【００３３】
図５は、低色温度光源３Ｌ及び高色温度光源３Ｈの各分光スペクトルの例を示す。低色温度光源３Ｌは、相関色温度が３２５０Ｋ以下、好ましくは２０００〜２５００Ｋである光を出射する。相関色温度２０００Ｋは、夕日の色温度に該当し、自然光の色温度の最低値である。また、相関色温度２５００Ｋは、ＩＣＵ内を看護師等が看視するのに必要十分な照度を確保することができる値である。また、例えば、２５００Ｋで１００ｌｘ確保した時の生体作用量（メラノプシン神経節細胞への刺激量）は、一般的な白色光（５０００Ｋ）で２０ｌｘの時のそれと同等であることが知られている。そこで、照明光を上記色温度にすることにより、患者（特に新生児）に対して暗状態に近い環境を実現することができる。
【００３４】
低色温度光Ｌ（実線）が出射する低色温度光Ｌは、５５０〜７００ｎｍの波長域に分光放射のピーク波長を有し、４４０〜５００ｎｍの波長域の分光放射が上記ピーク波長の１／５以下である。また、好ましくは、低色温度光Ｌは、６００〜７００ｎｍの波長域に分光放射のピーク波長を有し、４４０〜５００ｎｍの波長域の分光放射が上記ピーク波長の１／１０以下である。このときの平均演色評価数Ｒａは６０以上となるように設定される。また、高色温度光源２Ｈが出射する高色温度光（１点鎖線）は、４４０〜４８０ｎｍの波長域に分光放射のピーク波長を有し、４８０〜５２０ｎｍの最大強度が上記ピーク波長の０．４以上１．０未満以下である。また、このときの平均演色評価数Ｒａは８０以上となるように設定される。
【００３５】
高色温度光源３Ｈは、主に日中に好適に用いられるので、比較的高い照度を必要とし、より多くの光源ユニット３（ライン状光源３０）を必要とする。一方、低色温度光源３Ｌは、主に夜間に好適に用いられるので、あまり高い照度を必要としない。従って、光源ユニット３の数は、低色温度光源３Ｌが高色温度光源３Ｈよりも少なくてよい。なお、光源ユニット３の数は、図示した構成に限られない。例えば、高色温度光源３Ｈが器具本体２の外縁側に夫々複数列、低色温度光源３Ｌが内方側に複数列配置されていてもよい。また、低色温度光源３Ｌが器具内方側（中心付近）に配置され、高色温度光源３Ｈが低色温度光源３Ｌを挟み込むように両外側に配置されることにより、両方を点灯させたときの光の混ざり方が良くなり、天井面における色ムラの発生を抑制することができる。
【００３６】
上記実施形態の変形例に係る照明器具について、図６を参照して説明する。この変形例は、固定部４が、器具本体２の長手方向の一方の縁部に設けられた蝶番４５を有するものである。器具本体２の他方の縁部は、図６（ａ）に示すように、ネジ４３により固定される。筐体１１内をメンテナンス等する際には、図６（ｂ）に示すように、片側のネジ４３を外すだけで、蝶番４５を軸として、照明器具１を回動させると、筐体１１の開口１１ａを開くことができる。なお、器具本体２を回動させた状態で保持するため、開口１１ａの周縁にステー（不図示）が設けられていてもよい。
【００３７】
天井懸架式の医療用供給システム１０は、床面からある程度の高さで懸架されているので、メンテナンス毎に、その上面に設けられた照明器具１を取り外し、それを別の場所に載置して、メンテナンス終了後に再び取り付けることは、作業者にとって大変な手間である。一方、本変形例によれば、片側のネジ４３を外すだけで、開口１１ａを開けることができ、照明器具１を別の場所に載置させる必要もないので、メンテナンスの際の手間を削減することができる。
【００３８】
なお、本発明は上記実施形態に限らず種々の変形が可能である。例えば、上述した実施形態においては、光源ユニット３として、低色温度光源３Ｌ及び高色温度光源３Ｈの色温度の異なる２種の光源を用いた構成について説明した。照明器具１は、これらの光源を所定のタイムスケジュールに沿って予め設定された点灯パターンで点灯させる制御装置（不図示）が組み込まれていてもよい。照明器具１は、これらの光源を所定のタイムスケジュールに沿って予め設定された点灯パターンで点灯させる制御装置（不図示）が組み込まれていてもよい。例えば、昼間は高色温度光源３Ｈを主として点灯させて比較的高い照度で照明し、夜間は低色温度光源３Ｌを主として点灯させて比較的低い照度に抑えて照明すれば、照明光の制御により、昼夜の区別をつけることができる。このような昼夜の区別は、人に対して好影響を与えることが知られている。例えば、このような照明光の制御を新生児特定集中治療室（ＮＩＣＵ：Neonatal Intensive Care Unit）で用いれば、未熟児の健全な発育に好影響を与えることができるとされている（例えば、小澤美緒：ＮＩＣＵとＧＣＵの光環境が早産児に及ぼす影響に関する文献的考察、日本新生児看護学会誌ｖｏｌ．１３、Ｎｏ．３、２００７参照）。また、上記照明光の制御を、成人を対象としたＩＣＵで用いれば、術後せん妄の発生率を低下させ、早期離床を図れる可能性がある（例えば、田口豊恵ら：サーカディアンリズムを考慮した術後ブライトケアの有効性、第４９回日本集中治療医学会近畿地方会  プログラム・抄録集ｐ．１０２、２００４参照）。更には、厚生労働省の「集中治療室（ＩＣＵ）における安全管理指針」においても、照明は「せん妄の予防のために、昼夜の別がつけられるように工夫すること。」と規定している。なお、上記低色温度光源３Ｌ及び高色温度光源３Ｈに限らず、上記とは異なる色温度帯、例えば、上記低色温度光源３Ｌ及び高色温度光源３Ｈの中間の色温度帯の照明光が用いられてもよい。また、光源ユニット３は、一列のライン状光源３０に低色温度光源３Ｌ及び低色温度光源３Ｌの両方が含まれた構成であってもよい。
【符号の説明】
【００３９】
１    照明器具
１１    医療用供給システムの筐体（長尺形状の架設構造体）
１２    支柱
２    器具本体
２４    外部カバー
３    光源ユニット
３０    ライン状光源
３１    発光部
３２    カバー
３Ｌ    低色温度光源
３Ｈ    高色温度光源
４    固定部
４５    蝶番
５    電源ユニット
【図１】
2015090780.tif 000003
【図２】
2015090780.tif 000004
【図３】
2015090780.tif 000005
【図４】
2015090780.tif 000006
【図５】
2015090780.tif 000007
【図６】
2015090780.tif 000008